(57)【要約】【課題】遊技者への付加サービスの提供を行う場合であっても、そのサービス提供を行うための資源の数等の有効活用を図る。【解決手段】遊技機１に対応して、遊技者への付加サービス提供を行うサービス提供機器２が設置される設置機構４を設けるとともに、当該サービス提供機器２の着脱が可能となるように当該設置機構４を構成する。そして、前記設置機構４には、前記サービス提供機器２を駆動するための電源を供給する電源供給手段５を設け、前記設置機構４に前記サービス提供機器２が設置されると、前記電源供給手段５が当該サービス提供機器２への電源供給を行うようにする。【選択図】図１
2008142305.tif 000002
【特許請求の範囲】
【請求項１】
遊技機が設置される遊技場にて用いられる付加サービス提供システムであって、
前記遊技機に対応して、遊技者への付加サービス提供を行うサービス提供機器が設置される設置機構を設けるとともに、当該サービス提供機器の着脱が可能となるように当該設置機構を構成し、
前記設置機構には、前記サービス提供機器を駆動するための電源を供給する電源供給手段を設け、
前記設置機構に前記サービス提供機器が設置されると前記電源供給手段が当該サービス提供機器への電源供給を行うことを特徴とする付加サービス提供システム。
【請求項２】
前記サービス提供機器は、画像表示を行う画像表示器であることを特徴とする請求項１記載の付加サービス提供システム。
【請求項３】
前記画像表示機での画像表示に必要となる映像信号を無線で送信する信号送信手段が設けられるとともに、
前記画像表示機は、前記信号送信手段からの映像信号を受信する信号受信手段を有している
ことを特徴とする請求項２記載の付加サービス提供システム。
【請求項４】
前記電源供給手段は、前記サービス提供機器に対して非接触給電を行うものであることを特徴とする請求項１、２または３記載の付加サービス提供システム。
【請求項５】
遊技機が設置される遊技場にて遊技者への付加サービス提供を行うための付加サービス提供方法であって、
前記遊技機に対応して、遊技者への付加サービス提供を行うサービス提供機器が設置される設置機構を設けるとともに、当該サービス提供機器の着脱が可能となるように当該設置機構を構成しておき、
サービス提供を所望する遊技者への前記サービス提供機器の貸し出しにより、当該遊技者が利用する前記遊技機に対応して設けられた前記設置機構に当該サービス提供機器を設置し、
前記設置機構に前記サービス提供機器が設置されると、当該設置機構に設けられている電源供給手段が、当該サービス提供機器を駆動するための電源供給を行い、
前記電源供給手段からの電源供給により前記サービス提供機器が駆動されて、当該サービス提供機器が前記遊技者への付加サービス提供を行う
ことを特徴とする付加サービス提供方法。
【発明の詳細な説明】
【技術分野】
【０００１】
本発明は、遊技場にて遊技者への付加サービスを提供するための付加サービス提供システムおよび付加サービス提供方法に関する。
【背景技術】
【０００２】
パチンコ機やパチスロ機等の遊技機が設置される遊技場では、遊技者に対するサービス面で他の遊技場との差別化が求められている。このような要望に応えるべく、遊技者への付加サービスの提供を行うシステムとして、遊技場向け台間テレビシステムが知られている。台間テレビシステムは、遊技機またはこれに付随して配される台間機（玉貸し機やメダル貸し機等）に個別に対応するようにテレビモニタが設けられているもので、そのテレビモニタにより各遊技者が所望のテレビ放送を視聴できるように構成されたものである（例えば、特許文献１、２参照）。
【０００３】
【特許文献１】特開平９−１９２３３９号公報
【特許文献１】特開平９−２２０３５４号公報
【発明の開示】
【発明が解決しようとする課題】
【０００４】
ところで、近年では、遊技場の店舗規模が増大し、これに伴って設置される遊技器の台数も増大する傾向にある。したがって、台間テレビシステムを構築する場合には、テレビモニタの設置台数も増大することなる。
【０００５】
しかしながら、テレビモニタの設置台数が増大すると、遊技場における設備投資費用の増大を招くことになり、また各テレビモニタへの通信用配線も多数準備する必要があり、設置スペースの有効活用を図る上では好ましくない。
その一方で、遊技者の中にはテレビモニタを必要としない者もいる。そのため、各遊技機等に個別に対応してテレビモニタを設置しても、その稼働率は必ずしも高いとは言えない。
【０００６】
そこで、本発明は、遊技者への付加サービスの提供を行う場合であっても、そのサービス提供を行うための資源の数、必要とするスペース、稼働率等について、その有効活用を図ることのできる付加サービス提供システムおよび付加サービス提供方法を提供することを目的とする。
【課題を解決するための手段】
【０００７】
本発明は、上記目的を達成するために案出された付加サービス提供システムおよび付加サービス提供方法である。
請求項１に係る発明は、遊技機が設置される遊技場にて用いられる付加サービス提供システムであって、前記遊技機に対応して、遊技者への付加サービス提供を行うサービス提供機器が設置される設置機構を設けるとともに、当該サービス提供機器の着脱が可能となるように当該設置機構を構成し、前記設置機構には、前記サービス提供機器を駆動するための電源を供給する電源供給手段を設け、前記設置機構に前記サービス提供機器が設置されると前記電源供給手段が当該サービス提供機器への電源供給を行うことを特徴とする付加サービス提供システムである。
請求項２に係る発明は、前記サービス提供機器が、画像表示を行う画像表示器であることを特徴とする請求項１記載の付加サービス提供システムである。
請求項３に係る発明は、前記画像表示機での画像表示に必要となる映像信号を無線で送信する信号送信手段が設けられるとともに、前記画像表示機は、前記信号送信手段からの映像信号を受信する信号受信手段を有していることを特徴とする請求項２記載の付加サービス提供システムである。
請求項４に係る発明は、前記電源供給手段が、前記サービス提供機器に対して非接触給電を行うものであることを特徴とする請求項１、２または３記載の付加サービス提供システムである。
請求項５に係る発明は、遊技機が設置される遊技場にて遊技者への付加サービス提供を行うための付加サービス提供方法であって、前記遊技機に対応して、遊技者への付加サービス提供を行うサービス提供機器が設置される設置機構を設けるとともに、当該サービス提供機器の着脱が可能となるように当該設置機構を構成しておき、サービス提供を所望する遊技者への前記サービス提供機器の貸し出しにより、当該遊技者が利用する前記遊技機に対応して設けられた前記設置機構に当該サービス提供機器を設置し、前記設置機構に前記サービス提供機器が設置されると、当該設置機構に設けられている電源供給手段が、当該サービス提供機器を駆動するための電源供給を行い、前記電源供給手段からの電源供給により前記サービス提供機器が駆動されて、当該サービス提供機器が前記遊技者への付加サービス提供を行うことを特徴とする付加サービス提供方法である。
【０００８】
請求項１、５に係る発明によれば、サービス提供機器の着脱が可能となるように設置機構が構成されているので、遊技者がサービス提供を希望する場合はサービス提供機器を設置機構に設置し、他の場合はサービス提供機器を設置せずに外しておくといったことが実現可能となる。したがって、例えば遊技器の台数が増大する傾向にあっても、必要十分な数のサービス提供機器を用意しておくだけで、遊技者に対するサービス提供を行い得るようになる。
請求項２に係る発明によれば、サービス提供機器が画像表示器であることから、遊技者に対してテレビ放送の視聴サービスや各種情報の表示出力サービス等を提供し得るようになる。
請求項３に係る発明によれば、画像表示機での画像表示に必要となる映像信号を無線通信によって授受するので、その映像信号のための信号線が不要となる。つまり、信号送信手段が無線で信号送信を行えば、映像信号のための信号線を要することなく、画像表示機が画像表示を行い得るようになる。
請求項４に係る発明によれば、電源供給手段がサービス提供機器に対して非接触給電を行うので、例えば接続の不具合による給電不良が生じることがない。
【発明の効果】
【０００９】
本発明の付加サービス提供システムおよび付加サービス提供方法では、例えば遊技器の台数が増大する傾向にあっても、必要十分な数のサービス提供機器を用意しておくだけで、遊技者に対するサービス提供を行い得る。したがって、遊技者への付加サービスの提供を行う場合であっても、そのサービス提供を行うための資源の数、必要とするスペース、稼働率等について、その有効活用を図ることが可能となる。
【発明を実施するための最良の形態】
【００１０】
以下、図面に基づき本発明に係る付加サービス提供システムおよび付加サービス提供方法について説明する。
【００１１】
図１は、付加サービス提供システムの概略構成例を示す外観斜視図である。付加サービス提供システムは、遊技機１が設置される遊技場にて、サービス提供機器２を用いて遊技者への付加サービス提供を行うものである。
【００１２】
遊技機１としては、例えばメダルを遊技媒体とするパチスロ機（スロットマシン）が挙げられる。ただし、これに限定されることはなく、例えばパチンコ玉を遊技媒体とするパチンコ機等であっても構わない。
【００１３】
サービス提供機器２としては、遊技者に対する画像表示を行う画像表示器が挙げられる。さらに詳しくは、遊技者へのテレビ放送視聴サービスを提供するためのテレビモニタ（台間テレビ）が挙げられる。ただし、これもテレビ放送視聴サービスに限定されることはなく、テレビ放送以外の画像を表示するものであってもよい。また、ラジオ受信機を用いてラジオ放送聴視サービスを提供したり、携帯型音楽プレーヤを用いて音楽試聴サービスを提供することも考えられる。
【００１４】
このような付加サービス提供システムにおいて、遊技機１に付随して配設された目板３には、サービス提供機器２を設置するための設置機構４が設けられている。
【００１５】
目板３は、遊技機１とこれに隣接する台間機（玉貸し機やメダル貸し機等）との間を塞ぐために配されたものである。このような目板３に設けられることで、設置機構４は、遊技機１に個別に対応して配されることになる。つまり、遊技機１が複数台存在する場合には、各遊技機１のそれぞれに対応して設置機構４が設けられることになる。なお、目板３は、遊技機１または台間機の一部を構成するものであってもよい。すなわち、設置機構４は、遊技機１に個別に対応して配されていれば、遊技機１または台間機に直接設けられていてもよい。
【００１６】
設置機構４は、サービス提供機器２が設置される設置台と、そのサービス提供機器２の保持固定を行う保持具とを備えるもので、当該サービス提供機器２の着脱が可能となるように構成されている。具体的には、例えば公知技術であるラッチ機構を利用して保持具が構成されており、サービス提供機器２の設置時には当該サービス提供機器２が脱落しないように保持しつつ、簡便な操作で当該サービス提供機器２の脱着を行い得るようになっている。なお、保持具には、サービス提供機器２の不正な取り外しを防止するためのロック機構が設けられていることが望ましい。
【００１７】
また、設置機構４には、サービス提供機器２を駆動するための電源を供給する電源供給手段５が設けられている。そして、設置機構４にサービス提供機器２が設置されると、電源供給手段５が当該サービス提供機器２への電源供給を行うように構成されている。
【００１８】
電源供給手段５は、例えば接触型コネクタを用いることが考えられる。すなわち、設置機構４の側に電源供給を行うための接続端子を設けておくとともに、サービス提供機器２の側にもこれに対応する接続端子を設けておき、サービス提供機器２が設置機構４に設置されて保持固定されると、それぞれの側における接続端子が互いに接触することで、サービス提供機器２への電源供給を行うようにする。
【００１９】
ただし、接触型コネクタを用いた場合は、接続端子へのゴミ付着等が電源供給に大きな影響を及ぼす。そこで、電源供給手段５としては、サービス提供機器２に対して非接触給電を行うものを用いることが望ましい。非接触給電は、例えば交流磁界によるコイルの相互誘導・電磁誘導を利用して行うことが考えられるが、これに限定されることはなく、他の公知技術を利用して行うものであっても構わない。
【００２０】
なお、設置機構４に設置されるサービス提供機器２は、その設置機構４における電源供給手段５に対応した方式の受電手段を有しているものとする。すなわち、電源供給手段５が接触型であれば、これに対応して接続端子等の受電手段を有しており、また電源供給手段５が非接触型であれば、これに対応して電磁コイル等の受電手段を有している。また、いずれの方式にも対応可能にすべく、それぞれの方式に対応した受電手段を重複して有していてもよい。
【００２１】
ところで、付加サービス提供システムでは、サービス提供機器２を用いた遊技者への付加サービス提供を行うために、当該サービス提供機器２への信号送信を行う信号送信手段を備えている。信号送信手段が送信する信号としては、例えばサービス提供機器２が画像表示器からなる場合であれば、そのサービス提供機器２での画像表示に必要となる映像信号が挙げられる。さらに詳しくは、遊技者へのテレビ放送視聴サービスを提供するための映像信号（以下「テレビ信号」という）の他に、遊技場に関する情報（例えば、営業時間情報や遊技者への特典情報）をインポーズ画像として表示出力するための映像信号（以下「インポーズ信号」という）が含まれるものとする。
【００２２】
ここで、映像信号を送信するための機能構成に付いて説明する。図２、３は、信号送信のための機能構成例を示すブロック図である。
【００２３】
テレビ信号の他にインポーズ信号を含む映像信号を送信する場合、例えば図２に示すように、信号送信手段１０は、放送されるテレビ信号を受信するアンテナ１１や受信したテレビ信号を処理するＲＦアンプ１２、分配器１３等からなるテレビ信号処理系統と、インポーズ信号を出力する台情報サーバコンピュータ１４や集線装置であるハブ（ＨＵＢ）１５等からなるインポーズ信号処理系統との、二系統で構成することが考えられる。しかしながら、信号送信手段１０を二系統とし、しかも各サービス提供機器２との間を有線接続すると、遊技機１の台数が増大するのに伴って、各サービス提供機器２への配線数も増大することになる。つまり、配線のために多くのスペースを必要としてしまい、スペースの有効活用を図る上では好ましくない。
【００２４】
そこで、信号送信手段１０は、例えば図３に示すように、放送されるテレビ信号をＩＴＶサーバ１６でデジタル化してネットワーク通信し得る形式の信号に変換し、台情報サーバコンピュータ１４の出力とＨＵＢ１５上で合成することにより、一系統で構成することが考えられる。なお、ＩＴＶサーバ１６については、公知技術を利用して実現すればよいため、ここではその説明を省略する。
【００２５】
さらに、信号送信手段１０については、上述したような一系統で構成するだけでなく、サービス提供機器２への信号送信を無線で行うように構成することが考えられる。すなわち、当該一系統の一端に無線通信を行うための無線発信手段１７を配し、その無線発信手段１７がシステム内の不特定多数の相手に向かってデータを送信する、いわゆるブロードキャスト送信を行うように構成する。無線通信の方式は、例えばＩＥＥＥ（電気電子学会）８０２．１１に準拠することが考えられるが、これに限定されることはなく、他の公知の方式を用いても構わない。
【００２６】
なお、信号送信手段１０が無線発信手段１７を介して無線通信を行う場合には、サービス提供機器２の側においても、その信号送信手段１０からの映像信号を受信するために信号受信手段２ａを有しているものとする。また、サービス提供機器２が複数存在する場合には、各側サービス提供機器２のそれぞれが個別に信号受信手段２ａを有しているものとする。この信号受信手段２ａは、無線発信手段１７と同一の無線通信の方式に対応しているものとする。
【００２７】
一方、信号送信手段１０の側では、サービス提供機器２が複数存在していても、ブロードキャスト送信を行うので、少なくとも一つの無線発信手段１７があればよい。この少なくとも一つの無線発信手段１７は、複数のサービス提供機器２に対するブロードキャスト送信を良好に行うために、遊技場の天井等に配設することが考えられる。
【００２８】
次に、以上のように構成された付加サービス提供システムにおける処理動作例、すなわち本発明に係る付加サービス提供方法を説明する。ここでは、遊技者へのテレビ放送視聴サービスを提供する場合を例に挙げる。
【００２９】
上述した構成の付加サービス提供システムにおいて、テレビ放送視聴サービスの提供前は、いずれの設置機構４にもサービス提供機器２が設置されていないものとする。そのため、テレビ放送視聴サービスの提供を所望する遊技者は、遊技場内の所定箇所に赴いて、あるいは遊技場の店員に依頼して、サービス提供機器２の貸し出しを受ける。そして、その遊技者が利用する遊技機１に対応して設けられている設置機構４に、貸し出しを受けたサービス提供機器２を設置する。このとき、サービス提供機器２の設置を、遊技場の店員が行うようにし、かつ、設置機構４のロック機構によるロックを行うようにすれば、サービス提供機器２の不正な取り外しを防止する上で非常に有効となる。
【００３０】
このようにして、サービス提供機器２が設置機構４に設置されると、その設置機構４における電源供給手段５は、設置されたサービス提供機器２に対する電源供給を行う。すなわち、設置機構４への設置を契機にして、サービス提供機器２への電源供給が開始されることになる。
【００３１】
また、このとき、信号送信手段１０からは、映像信号がブロードキャスト送信されている。したがって、設置機構４に設置されたサービス提供機器２は、電源供給手段５からの電源供給によって駆動され、かつ、信号送信手段１０からブロードキャスト送信される映像信号を受信し、その映像信号に基づく映像出力を行うことになる。すなわち、サービス提供機器２は、テレビ放送の映像出力や遊技場に関する情報のインポーズ画像による表示出力等を行って、これにより遊技者へのテレビ放送視聴サービスを提供するのである。
【００３２】
その後、遊技者が遊技機１での遊技を終了したら、これに伴い当該遊技者に対するテレビ放送視聴サービスの提供も終了する。サービス提供終了は、例えば遊技場の店員がサービス提供機器２を回収することによって行うことが考えられる。すなわち、遊技者が遊技を終了した遊技機１に対応する設置機構４から、遊技場の店員がサービス提供機器２を取り外すことで、テレビ放送視聴サービスの提供も終了する。これにより、付加サービス提供システムは、サービス提供前の状態に戻ることになる。なお、サービス提供の終了は、設置機構４からのサービス提供機器２の取り外しが契機となるが、必ずしも遊技場の店員が行うのではなく、遊技者自身が行ってサービス提供機器２を遊技場に返却しても構わない。
【００３３】
以上のように、本実施形態で説明した付加サービス提供システムおよび付加サービス提供方法によれば、サービス提供機器２の着脱が可能となるように設置機構４が構成されているので、遊技者がサービス提供を希望する場合はサービス提供機器２を借り受けて設置機構４に設置し、他の場合はサービス提供機器２を設置せずに外しておくといったことが実現可能となる。したがって、遊技場の側では、例えば遊技機１の台数が増大する傾向にあっても、必要十分な数のサービス提供機器２を用意しておくだけで、遊技者に対するサービス提供を行い得るようになる。つまり、遊技機１の台数が増大しても、これに伴ってサービス提供のための設備投資費用が増大してしまうのを回避することができる。しかも、遊技者の中にはサービス提供を必要としない者もいるので、サービス提供を希望する遊技者のみに対してサービス提供機器２を貸し出すことで、当該サービス提供機器２の稼働率向上を図る上で非常に好適なものとなる。
【００３４】
また、サービス提供機器２が設置される設置機構４は、遊技機１が複数台存在する場合には、各遊技機１のそれぞれに対応して設けられることから、遊技者がどの遊技機１を用いて遊技を行っても、その遊技者に対するサービス提供が行えるようになる。
【００３５】
さらに、設置機構４には電源供給手段５が設けられており、サービス提供機器２が設置されると電源供給手段５が当該サービス提供機器２への電源供給を行うようになっているので、サービス提供機器２の設置およびその駆動のために煩雑な作業を必要とすることがない。すなわち、サービス提供機器２を設置機構４上に置くだけで、そのサービス提供機器２の使用が可能となるので、遊技者や遊技場の店員等にとって非常に使い勝手の良いものとなる。
【００３６】
ところで、サービス提供機器２が画像表示器（テレビモニタ）であり、これを用いて遊技者に対してテレビ放送の視聴サービスや各種情報の表示出力サービス等を提供する場合には、本実施形態で説明したように、映像信号を無線通信によって授受すれば、その信号授受のための信号線を配する必要がなくなる。つまり、信号送信手段１０が無線で信号送信を行えば、映像信号のための信号線を要することなく、サービス提供機器２が画像表示を行い得るようになる。したがって、例えば遊技機１の台数が増大する傾向にあっても、信号線を多数用意する必要がなくなるので、限られた設置スペースの有効活用を図る上で非常に好適である。しかも、設置機構４へのサービス提供機器２の設置の際に、信号線の接続作業を行う必要もないので、使い勝手の向上を図る上でも非常に好適である。
【００３７】
しかも、電源供給手段５がサービス提供機器２に対して非接触給電を行うように構成すれば、信号送信手段１０による無線での信号送信と合わせて、当該サービス提供機器２に外部接続端子等を一切設ける必要がなくなるので、例えば接続の不具合による給電不良等の発生を未然に防止することができる。さらには、サービス提供機器２の着脱に適した構造を容易に実現することができる。すなわち、外部接続端子等が一切不要なので、サービス提供機器２の着脱が可能となるように設置機構４を構成することが非常に容易となる。
【００３８】
なお、本実施形態では、本発明の好適な実施具体例について説明したが、本発明はその内容に限定されるものではなく、その要旨を逸脱しない範囲で適宜変更することが可能である。例えば、本実施形態では、遊技者に提供する付加サービスとして、主にテレビ放送視聴サービスを例に挙げて説明したが、ラジオ放送聴視サービス、音楽試聴サービス、インターネット接続および情報閲覧サービス等の他の付加サービスを提供する場合であっても、全く同様に本発明を適用することが可能である。
【図面の簡単な説明】
【００３９】
【図１】本発明に係る付加サービス提供システムの概略構成例を示す外観斜視図である。
【図２】信号送信のための機能構成例を示すブロック図（その１）である。
【図３】信号送信のための機能構成例を示すブロック図（その２）である。
【符号の説明】
【００４０】
１…遊技機、２…サービス提供機器、２ａ…信号受信手段、３…目板、４…設置機構、５…電源供給手段、１０…信号送信手段、１１…アンテナ、１２…ＲＦアンプ、１３…分配器、１４…台情報サーバコンピュータ、１５…ハブ、１６…ＩＴＶサーバ、１７…無線発信手段
【図１】
2008142305.tif 000003
【図２】
2008142305.tif 000004
【図３】
2008142305.tif 000005